(57)【要約】【課題】シリンダ錠を不正抜去に対する耐性を確保しつつ容易に交換できるようにした扉用錠装置の提供を目的とする。【解決手段】ロック位置において装置筐体１の開口を閉塞する扉２の開き軌跡に干渉して扉２の開放を規制するロック体３と、  装置筐体１の側壁面に固定される錠ケース４内にシリンダ錠５を収容して形成され、施錠状態において前記ロック体３をロック位置に拘束する錠本体６とを有し、  前記シリンダ錠５は、装置筐体１への固定状態において止着解除可能に止着される錠固定ねじ７を使用して錠ケース４からの脱離が規制され、  かつ、ロック体３には、ロック位置にあるときに前記錠固定ねじ７の頭部を遮蔽し、ロック解除位置において遮蔽解除するねじ覆い部８が設けられる。【選択図】図８
2007113331.tif 000002
【特許請求の範囲】
【請求項１】
ロック位置において装置筐体の開口を閉塞する扉の開き軌跡に干渉して扉の開放を規制するロック体と、
装置筐体の側壁面に固定される錠ケース内にシリンダ錠を収容して形成され、施錠状態において前記ロック体をロック位置に拘束する錠本体とを有し、
前記シリンダ錠は、装置筐体への固定状態において止着解除可能に止着される錠固定ねじを使用して錠ケースからの脱離が規制され、
かつ、ロック体には、ロック位置にあるときに前記錠固定ねじの頭部を遮蔽し、ロック解除位置において遮蔽解除するねじ覆い部が設けられる扉用錠装置。
【請求項２】
前記シリンダ錠は、錠ケースに開設されるシリンダ収容孔内に収容されるとともに、錠ケース外から係止解除操作可能なストッパプレートに係止されてシリンダ収容孔からの脱離が規制され、
かつ、ストッパプレートの操作部は、前記錠固定ねじにより錠ケースに固定される遮蔽プレートにより遮蔽される請求項１記載の扉用錠装置。
【請求項３】
前記ロック体は、先端に扉規制部を有してＬ字杆状に形成されて錠本体に回転自在に保持され、
ロック位置において扉規制部を扉の開き軌跡に干渉させて扉の開放操作を規制する請求項１または２記載の扉用錠装置。
【発明の詳細な説明】
【技術分野】
【０００１】
本発明は、扉用錠装置に関するものである。
【背景技術】
【０００２】
耐破壊性能を向上させるために、鋼製棒体をロック体として使用した扉用錠装置としては、特許文献１に記載のものが知られている。この従来例において、扉用錠装置は、Ｌ字状に屈曲されたアーム部材（ロック体）と、ロック体を保持する補助錠本体（錠本体）とから構成される。
【０００３】
ロック体はロック状態において屈曲先端部が扉に面して扉への開放操作が禁止され、錠本体に装着されるシリンダ錠によりロック状態が維持される。
【特許文献１】特開平９-３１７２８２号公報
【発明の開示】
【発明が解決しようとする課題】
【０００４】
しかし、上述した従来例において、シリンダ錠は外部からの不正抜去を防止するために錠本体のケース内に脱離不能に装着されており、シリンダ錠の交換が容易でないという欠点がある。
【０００５】
本発明は、以上の欠点を解消すべくなされたものであって、シリンダ錠を不正抜去に対する耐性を確保しつつ容易に交換できるようにした扉用錠装置の提供を目的とする。
【課題を解決するための手段】
【０００６】
本発明によれば上記目的は、
ロック位置において装置筐体１の開口を閉塞する扉２の開き軌跡に干渉して扉２の開放を規制するロック体３と、
装置筐体１の側壁面に固定される錠ケース４内にシリンダ錠５を収容して形成され、施錠状態において前記ロック体３をロック位置に拘束する錠本体６とを有し、
前記シリンダ錠５は、装置筐体１への固定状態において止着解除可能に止着される錠固定ねじ７を使用して錠ケース４からの脱離が規制され、
かつ、ロック体３には、ロック位置にあるときに前記錠固定ねじ７の頭部を遮蔽し、ロック解除位置において遮蔽解除するねじ覆い部８が設けられる扉用錠装置を提供することにより達成される。
【０００７】
錠装置の錠本体６には、ロック体３をロック位置に拘束して扉２への開き操作を規制するためのシリンダ錠５が収容される。錠本体６とロック体３とは、ロック体３がロック位置にあるときに錠本体６が拘束可能状態となれば足り、ロック解除位置において相互に分離するものであっても、あるいは分離不能なものであってもよい。また、ロック体３は、杆形状、レバー形状等、適宜の形状が採用され、ロック位置とロック解除位置との間の移動も、水平回転を伴うもの、垂直回転を伴うもの、あるいはこれに並進移動が加わるもの等、種々の変形が可能である。
【０００８】
シリンダ収容孔９内に収容されるシリンダ錠５は、錠固定ねじ７を使用してシリンダ収容孔９からの脱離が規制される。錠固定ねじ７は、止着解除操作によってシリンダ錠５がシリンダ収容孔９から取り出せる状態でシリンダ錠５の抜去を規制していれば足り、シリンダ錠５を直接固定するのであっても、あるいは、適宜の固定手段を錠ケース４に固定し、シリンダ錠５の脱離を間接的に規制するものであってもよい。
【０００９】
錠固定ねじ７の止着解除によりシリンダ錠５を錠ケース４から取り外せる本発明において、運用状態のままでシリンダ錠５の交換が可能になる。また、錠固定ねじ７はロック体３がロック位置にあるときにはロック体３のねじ覆い部８により覆われて、ロック解除位置においてのみ外部に露出してアクセス可能になる。このため、ロック状態で悪戯されてシリンダ錠５が取り外されることが確実に防止される。
【発明の効果】
【００１０】
本発明によれば、シリンダ錠を不正抜去に対する耐性を確保しつつ容易に交換できるようにすることができる。
【発明を実施するための最良の形態】
【００１１】
図１以下に自動販売機用錠装置として構成された本発明の実施の形態を示す。図１に示すように、自動販売機は、装置筐体１の前面開口を扉２により開放可能に閉塞して形成される。
【００１２】
錠装置は、装置筐体１の側壁に固定される錠本体６に保持されるロック体３を有する。ロック体３は、一端部に扉規制部１２を形成してＬ字杆状に形成され、図１（ａ）、（ｂ）に示すように、扉規制部１２を扉２に正対させることにより扉２の開放操作を規制することができる（ロック位置）。
【００１３】
図２に示すように、ロック体３は錠本体６の錠ケース４に形成される杆保持孔４ａに回転自在、かつ、摺動自在に挿入されており、図１（ｃ）に示すように、ロック位置から一旦正面側に引き出した後、図１（ｄ）に示すように、回転させることによって扉規制部１２を扉２の開放軌跡から退避させ、扉２の開放操作を可能にすることができる（ロック解除位置）。
【００１４】
また、上記錠本体６には、自動販売機の正面側にキー挿入開口５ａを向けてシリンダ錠５が固定されており、このシリンダ錠５を施錠操作することにより、図２に示すように、錠本体６内のロックピン１３をロック体３のロック孔３ａに侵入させることができる。この状態でロック体３は錠本体６に対して相対移動不能となり、ロック位置に拘束される。
【００１５】
図３、４にロック体３の詳細な構成を示す。ロック体３は、ステンレス鋼棒をＬ字形状に折り曲げて摺動杆部１４ａと扉規制部１２とを形成した杆主体部１４を有する。扉規制部１２の先端には、キャップ部材１２ａがねじ止めされ、摺動杆部１４ａの後端部（以下、本明細書において錠装置を装置筐体１に固定した状態で、扉２側を「前方」とする。）には、ロック体３の錠本体６から引き出しストロークを規制し、ロック体３の錠本体６からの不用意な抜去を防止するストッパピン１４ｂがねじ込まれる。
【００１６】
上記杆主体部１４の摺動杆部１４ａには、所定ピッチで複数のねじ孔１４ｃが摺動杆部１４ａの長手方向に配置され、これらねじ孔１４ｃの適数を覆うように、筒状スペーサ１５が固定される。筒状スペーサ１５は、摺動杆部１４ａに外嵌合され、後述するねじ覆い部８として機能するボルトを使用して杆主体部１４にねじ止めされる。
【００１７】
ボルト８は、筒状スペーサ１５の前端縁近傍に開設された貫通孔（図示せず）を貫通して上記摺動杆部１４ａに形成されるねじ孔１４ｃのいずれかにねじ込まれる。図３に示すように、筒状スペーサ１５を摺動杆部１４ａに固定した状態で後端縁に隣接するねじ孔１４ｃのみがロック孔３ａとして利用され、他のねじ孔１４ｃは埋め込みボルト１６を使用して閉塞される。
【００１８】
図４に示すように、筒状スペーサ１５を固定した状態において、ボルト８からロック孔３ａまでの間隔は、後述する覆い部収容スペース１７とロックピン１３までの間隔に一致し、ロックピン１３とロック孔３ａとの対応関係によりロック体３のロック位置における飛び出し寸法が決定される。
【００１９】
したがってこの実施の形態において、装置筐体１への錠本体６の固定位置、あるいは扉２の厚さ等に応じて筒状スペーサ１５の固定位置を変更することにより、扉規制部１２の位置を簡単に適正位置に位置させることができる。また、このとき、筒状スペーサ１５はロック孔３ａとして利用されるべきねじ孔１４ｃを指定するためのスケールとして機能するために、ロック孔３ａの位置決定が簡単になる。
【００２０】
以上のように構成されるロック体３は、太さの異なる適数種の杆主体部１４と、各杆主体部１４用に設定される筒状スペーサ１５とを組み合わせて構成される。図３（ｂ）、（ｃ）に示すように、複数種の筒状スペーサ１５は、内径寸法が対応する杆主体部１４が挿通可能に変更されただけで、外径、長さ、貫通孔位置等は同一に形成される。この結果、図４に示すように、どの組み合わせのロック体３も最大外径は同一となり、同一の杆保持孔４ａに挿通させることができる。また、筒状スペーサ１５を装着することにより発生する筒状スペーサ１５の肉厚に相当する段差をロック体３の押し込み方向のストッパとして利用するために、錠ケース４の杆保持孔４ａ側には筒状スペーサ１５の後端面に当接するストッパ段差４ｂが形成される。
【００２１】
一方、上記錠本体６の錠ケース４には、上述したロックピン１３に加え、カム１８、圧縮スプリング１９、およびシリンダ錠５が配置される。図７に示すように、シリンダ錠５は、シリンダケース５ｂ内にロータ５ｃを回転操作可能に挿入して形成される。図６に示すように、ロータ５ｃの終端はカム１８に回転力を伝達することができるように、円柱側壁を平行な２面で切断した小判断面形状を有する。この実施の形態において、図６（ａ）に示すように、平行面が水平姿勢となった状態が施錠回転位置に、図６（ｂ）に示すように、垂直姿勢になった状態が解錠回転位置に各々対応し、ロータ５ｃを回転操作するための解錠キーは、ロータ５ｃが施錠回転位置にあるときだけ抜き差しができる。
【００２２】
図５、６に示すように、ロックピン１３は、中心基部１３ａの上端に上記ロック体３のロック孔３ａに進退するロック用頭部１３ｂを備える。中心基部１３ａの前面には、後述するカム１８のカム突部１８ａを上下から挟み込む一対のカム受け膨隆部１３ｃが形成され、上方のカム受け膨隆部１３ｃによって、水平部の一端に斜面部を形成した上部カム受け面１３ｄが形成される。また、下方のカム受け膨隆部１３ｃは、水平面からなる下部カム受け面１３ｅを形成する。
【００２３】
圧縮スプリング１９は、ロックピン１３の中心基部１３ａの下端面に開設されるスプリング収容孔１３ｆ内に上端部が挿入され、後述する錠ケース４の収容凹部２０に収容された状態で、ロックピン１３を上方、すなわち、ロック用頭部１３ｂがロック体３のロック孔３ａに進入する方向に付勢する。
【００２４】
カム１８は、円板部１８ｂの背面にカム突部１８ａを膨隆して形成され、中心部には、上記シリンダ錠５のロータ５ｃに外嵌合するロータ嵌合孔１８ｃが貫通孔状に形成される。カム突部１８ａは、角状に側方に突出するピン移動阻止突部１８ｄを備え、カム１８は、図６（ａ）に示すように、ピン移動阻止突部１８ｄが上方を向く施錠回転位置と、図６（ｂ）、（ｃ）に示すように、ピン移動阻止突部１８ｄが側方を向く解錠回転位置との間で回転駆動される。上記ロックピン１３の上部カム受け面１３ｄは、カム１８が施錠回転位置にあるときに、水平部がピン移動阻止突部１８ｄに正対するように形成される。
【００２５】
さらに、カム１８のロータ嵌合孔１８ｃとロータ５ｃとの間には、図６（ｄ）に示すように、ロータ５ｃが施錠回転位置にあるときにカム１８が施錠回転位置と解錠回転位置の中間位置を取ることができるように回転方向遊び角が設定されている。この結果、ロータ５ｃを図６（ｂ）に示す解錠回転位置から図６（ｄ）に示す施錠回転位置に回転させた場合、ロータ５ｃは回転方向遊び角の範囲内で空転した後、図６（ｃ）に示すように、カム１８の駆動を開始するために、カム１８は、中間回転位置までしか駆動されない。
【００２６】
したがってこの実施の形態において、図６（ａ）に示すように、ロータ５ｃが施錠回転位置にあるときには、圧縮スプリング１９により上方に付勢されるロックピン１３の下部カム受け面１３ｅはカム突部１８ａに当接する。この状態でロック用頭部１３ｂがロック体３のロック孔３ａに侵入し、ロック体３の回転、摺動方向の移動が規制される。また、この状態で錠ケース４の上面に打撃力が付与され、ロックピン１３が慣性力により下方に移動しようとした場合には、ピン移動阻止突部１８ｄが上部カム受け面１３ｄの下降を規制する。
【００２７】
ロック状態からシリンダ錠５を操作してロータ５ｃを解錠回転位置まで回転すると、図６（ｂ）に示すように、カム突部１８ａはロックピン１３の下部カム受け面１３ｅを押し下げ、ロックピン１３はロック用頭部１３ｂがロック孔３ａから退避する位置まで降下する。この状態でロック体３に対する拘束は解除されるために、以後、図６（ｃ）、図１（ｃ）に示すように、ロック体３を引き出し、さらに、図１（ｄ）に示すように、ロック体３を回転させてロック解除位置に移行させることができる。
【００２８】
また、ロック体３を引き出した状態で、図６（ｄ）に示すように、ロータ５ｃを施錠回転位置に復帰させて解錠キーを抜去すると、カム１８は中間回転位置まで駆動される。この状態でロックピン１３はロック体３により上方移動を規制されてロック解除位置に留まっており、これからロック体３をロック位置、すなわち、ロックピン１３にロック孔３ａが正対する位置に移動させると、支えを失ったロックピン１３は圧縮スプリング１９の復元力によりロック位置に復帰する。このとき、カム突部１８ａはロックピン１３の下部カム受け面１３ｅと衝接し、カム１８は図６（ａ）に示す施錠回転位置まで回転し、以後、錠ケース４に対する打撃付与による施錠解除を防止する。
【００２９】
以上のロックピン１３、圧縮スプリング１９、およびカム１８を効率よく組み付けることができるように、錠ケース４には収容凹部２０が形成される。図５に示すように、収容凹部２０は装置筐体１への固定面に凹設され、上記カム１８は、円板部１８ｂの周壁をほぼ半周に渡って仮保持可能なカム用収容凹部２０ａ内に位置決めされて嵌合される。また、ロックピン１３を位置決め嵌合するために、収容凹部２０は、ピン収容凹部２０ｂを備え、圧縮スプリング１９を挿入した状態のロックピン１３は、側壁がピン収容凹部２０ａの側壁にガイドされて上下移動自在に嵌合される。
【００３０】
２１は上記収容凹部２０を閉塞するカバー体であり、金属製板材により形成される。カバー体２１には、錠ケース４への固定状態においてロックピン１３のカム受け膨隆部１３ｃと、カム１８の円板部１８ｂを押さえ付けるための押さえ片２１ａ、２１ｂが折り返される。
【００３１】
したがってこの実施の形態において、ロックピン１３、圧縮スプリング１９、およびカム１８は錠ケース４に開設された収容凹部２０に順次嵌合保持した後、カバー体２１をねじ止めして固定するだけで錠ケース４に組み込むことができるために、高い組立作業性を期待できる。
【００３２】
さらに、錠ケース４にはシリンダ錠５を保持するためにシリンダ収容孔９が開設される。図７に示すように、シリンダ収容孔９は、杆保持孔４ａに平行に配置され、一端が錠ケース４の正面壁に開放される。このシリンダ収容孔９に収容されるシリンダ錠５にはアダプタ２２が外嵌固定され、予めアダプタ２２を固定したシリンダ錠５をシリンダ収容孔９に挿入すると、シリンダ錠５のロータ５ｃの終端が上記カム１８のロータ嵌合孔１８ｃに嵌合し、両者は回転方向に連結される。
【００３３】
シリンダ錠５の抜去を防止するために、錠ケース４にはストッパプレート１０が配置される。ストッパプレート１０は、図７（ｂ）に示すように、シリンダケース５ｂの外周壁に上方から嵌合可能な切欠部１０ａを下端縁に有して錠ケース４に装着される。このストッパプレート１０はシリンダ収容孔９内のアダプタ２２の前端面よりやや前方において上下方向に移動自在であり、下方移動ストローク終端において、アダプタ２２の前端面に干渉してアダプタ２２の前方への移動を規制し、結果、シリンダ錠５のシリンダ収容孔９からの抜去を規制する。また、このストッパプレート１０を上方に移動させると、アダプタ２２の移動経路から退避し、シリンダ錠５の抜去が可能になる。ストッパプレート１０を上下方向に駆動するために、ストッパプレート１０には、操作孔１０ｂが開設される。
【００３４】
１１は上記ストッパプレート１０を覆い隠すための遮蔽プレートであり、錠ケース４に形成された止着面に錠固定ねじ７を使用してねじ止めされる。錠固定ねじ７は水平姿勢で、かつ、ねじ頭部が上記ロック体３のボルト８により遮蔽可能な位置に装着される。図８（ａ）に示すように、上記ロック体３は、ロック位置において錠固定ねじ７の頭部の前方に設定される覆い部収容スペース１７に納まって、ねじ頭部を遮蔽する。同時にボルト８の頭部は覆い部収容スペース１７内でシリンダケース５ｂに正対するために、外部から緩めることはできない。
【００３５】
したがってこの実施の形態において、ロック体３がロック位置にあるときには、シリンダ錠５の取出しが不可能であるのに対し、ロック体３をロック解除位置に移動させると、図８（ｂ）に示すように、錠固定ねじ７の頭部が外部に現れる。この状態で錠固定ねじ７を取り外して遮蔽プレート１１も取り外すとストッパプレート１０が現れ、この後、操作孔１０ｂを操作してストッパプレート１０を上方に移動させると、シリンダ錠５を取り外すことができ、さらに、異なった解錠キーに対応するシリンダ錠５に交換することができる。
【図面の簡単な説明】
【００３６】
【図１】本発明を示す図で、（ａ）は自動販売機の装置筐体に固定した状態を示す平面図、（ｂ）は（ａ）の正面図、（ｃ）はロック体を前方に引き出した状態を示す平面図、（ｄ）はロック体をロック解除位置に移動させた状態を示す正面図である。
【図２】図１（ｂ）の２Ａ-２Ａ線断面図である。
【図３】ロック体を示す図で、（ａ）は底面図、（ｂ）は太さの異なる杆主体部の異なった位置に筒状スペーサを固定した状態を示す図、（ｃ）は（ｂ）の３Ｃ方向矢視図である。
【図４】異なった太さの杆主体部を使用したロック体を同一の錠ケースに装着した状態を示す図で、（ａ）は太い杆主体部を使用した図２の４Ａ-４Ａ線断面図、（ｂ）は細い杆主体部を使用した図２の４Ａ-４Ａ線断面図である。
【図５】錠本体の組立方法を示す図で、（ａ）は錠ケースを装置筐体への固定面側から見た分解図、（ｂ）は錠ケースを（ａ）の５Ｂ線に沿って切断した方向から見た分解図である。
【図６】錠本体の動作を示す図で、（ａ）は施錠状態における図２の４Ａ-４Ａ線断面図、（ｂ）は解錠状態における図２の４Ａ-４Ａ線断面図、（ｃ）はロータを施錠回転位置側に回転させた状態における図２の４Ａ-４Ａ線断面図、（ｄ）はカムが中間回転位置にあるときの図２の４Ａ-４Ａ線断面図である。
【図７】シリンダ錠の組付を示す図で、（ａ）は錠ケースを図１の２Ａ-２Ａ線に沿って切断した方向から示す分解図、（ｂ）はストッパプレートの正面図である。
【図８】シリンダ錠の交換方法を示す図で、（ａ）はねじ覆い部で錠固定ねじが遮蔽されている状態を示す正面図、（ｂ）はロック体がロック解除位置にあるときの図１（ａ）の８Ｂ-８Ｂ線断面図である。
【符号の説明】
【００３７】
１        装置筐体
２        扉
３        ロック体
４        錠ケース
５        シリンダ錠
６        錠本体
７        錠固定ねじ
８        ねじ覆い部
９        シリンダ収容孔
１０      ストッパプレート
１１      遮蔽プレート
１２      扉規制部
【図１】
2007113331.tif 000003
【図２】
2007113331.tif 000004
【図３】
2007113331.tif 000005
【図４】
2007113331.tif 000006
【図５】
2007113331.tif 000007
【図６】
2007113331.tif 000008
【図７】
2007113331.tif 000009
【図８】
2007113331.tif 000010